(57)【要約】【課題】吸引力を低下させることなく、メンテナンスのしやすい、細塵の捕集効率を向上させることができる電気掃除機用吸込口体と電気掃除機を提供する。【解決手段】吸込口体１００は、内壁面を有する筐体１０１と、塵埃４０を含む気体を筐体１０１内に吸入する吸込口１０２と、床面３０と筐体１０１の内壁面とに接触しないように筐体１０１内に配置される正ブラシ束２１１と負ブラシ束２２１とを備え、正ブラシ束２１１は、正ブラシ束２１１に接触する塵埃４０を正に帯電させる材質によって形成され、負ブラシ束２２１は、負ブラシ束２２１に接触する塵埃４０を負に帯電させる材質によって形成され、塵埃４０が気流によって吸込口１０２を通過するとき、塵埃４０が正ブラシ束２１１もしくは負ブラシ束２２１と接触して異なる極性に帯電され、正もしくは負に帯電された塵埃４０に塵埃塊（クラスタ）４１を形成させる。【選択図】図６
2009011550.tif 000002
【特許請求の範囲】
【請求項１】
内壁面を有する本体と、
塵埃を含む気体を前記本体内に吸入する吸込口と、
被清掃対象物と前記本体の内壁面とに接触しないように前記本体内に配置される第一の帯電部材と第二の帯電部材とを備え、
前記第一の帯電部材は、前記第一の帯電部材に接触する塵埃を正に帯電させる材質によって形成され、
前記第二の帯電部材は、前記第二の帯電部材に接触する塵埃を負に帯電させる材質によって形成され、
塵埃が気流によって前記吸込口を通過するとき、塵埃が前記第一の帯電部材もしくは前記第二の帯電部材と接触して異なる極性に帯電され、正もしくは負に帯電された塵埃に塵埃塊（クラスタ）を形成させる、電気掃除機用吸込口体。
【請求項２】
前記第一の帯電部材と前記第二の帯電部材は、それぞれ、複数のブラシ糸から構成されるブラシ束である、請求項１に記載の電気掃除機用吸込口体。
【請求項３】
複数の前記第一の帯電部材と複数の前記第二の帯電部材とを備える、請求項１または請求項２に記載の電気掃除機用吸込口体。
【請求項４】
複数の前記第一の帯電部材と前記第二の帯電部材は、気流の流れる方向において、相対的に上流側に配置される前記第一の帯電部材と前記第二の帯電部材と、相対的に下流側に配置される前記第一の帯電部材と前記第二の帯電部材とを含む、請求項３に記載の電気掃除機用吸込口体。
【請求項５】
複数の前記第一の帯電部材と前記第二の帯電部材は、前記第一の帯電部材同士が互いに隣り合わないように、かつ、前記第二の帯電部材同士が互いに隣り合わないように、気流の流れる方向に交差する方向に前記第一の帯電部材と前記第二の帯電部材とが交互に並べられて配置されている、請求項３または請求項４に記載の電気掃除機用吸込口体。
【請求項６】
前記第一の帯電部材と前記第二の帯電部材とを支持するための支持体を備え、
前記第一の帯電部材と前記第二の帯電部材は、前記吸込口を通過する気流によって、前記支持体を中心に回動させられるように構成されている、請求項１から請求項５までのいずれか１項に記載の電気掃除機用吸込口体。
【請求項７】
前記第一の帯電部材と前記第二の帯電部材とを支持するための支持体と、前記第一の帯電部材と前記第二の帯電部材を前記支持体を中心に回動させるための回動手段とを備える、請求項１から請求項５までのいずれか１項に記載の電気掃除機用吸込口体。
【請求項８】
前記第一の帯電部材と前記第二の帯電部材は、前記吸込口を通過する気流の方向に対して角度をなして延在している、請求項６または請求項７に記載の電気掃除機用吸込口体。
【請求項９】
前記支持体に支持されて、前記吸込口に配置されて被清掃対象物に接触するための接触部材を備える、請求項６から請求項８までのいずれか１項に記載の電気掃除機用吸込口体。
【請求項１０】
前記接触部材は、複数のブラシ糸から構成されるブラシ束である、請求項９に記載の電気掃除機用吸込口体。
【請求項１１】
前記支持体は、導電性材料によって形成されている、請求項６から請求項１０までのいずれか１項に記載の電気掃除機用吸込口体。
【請求項１２】
請求項１から請求項１１までのいずれか１項に記載の電気掃除機用吸込口体を備える、電気掃除機。
【発明の詳細な説明】
【技術分野】
【０００１】
本発明は、電気掃除機用吸込口体およびそれを備える電気掃除機に関するものである。
【背景技術】
【０００２】
従来、電気掃除機においては、サイクロン方式とフィルター方式があり、いずれも塵埃を空気と同時に吸引し、掃除機本体の集塵手段に集積させ、集積された塵埃をまとめて廃棄している。このような電気掃除機には、塵埃に働く静電気を利用して集塵性能を高めるものがある。
【０００３】
例えば、特開平７−５９６９１号公報（特許文献１）に記載の電気掃除機用床ノズルには、高圧電極が設けられており、清掃面に付着している塵埃は、静電気によって高圧電極に吸着される。また、特開２０００−１１６５７９号公報（特許文献２）に記載の真空掃除機は、発電機で真空掃除機の床板を静電充電し、静電気によって塵埃を集塵する。
【０００４】
また、例えば、特開平１１−２１６０８９号公報（特許文献３）に記載の電気掃除機は、吸口に配置されている摺擦部材が床材繊維と摩擦して負極に帯電し、静電気によって塵埃を集塵する。また、特開２００１−２６９３０１号公報（特許文献４）に記載の静電気式掃除機は、帯電部材とベルトとの摩擦で帯電部材に定着されているブラシを帯電させ、静電気によって塵埃を吸い寄せる。特開２００５−１１０９６５号公報（特許文献５）に記載の電気掃除機は、ブラシと帯電プレートとの摩擦でブラシを帯電させて塵埃を引き寄せる。
【特許文献１】特開平７−５９６９１号公報
【特許文献２】特開２０００−１１６５７９号公報
【特許文献３】特開平１１−２１６０８９号公報
【特許文献４】特開２００１−２６９３０１号公報
【特許文献５】特開２００５−１１０９６５号公報
【発明の開示】
【発明が解決しようとする課題】
【０００５】
しかしながら、従来の静電気を利用して集塵性能を向上させる吸込口体では、吸込口体に配置される清掃床面上のゴミを掻き揚げるためのブラシ部を帯電させるなどして、清掃床面に付着した電荷を帯びた細塵あるいは電荷を帯びた床面に付着する細塵の電気掃除機への吸込み性能（ダストピックアップ）を向上させることを目的としているが、掃除機本体に吸引された塵埃を掃除機本体のサイクロン集塵手段やフィルター等の主集塵手段での捕集するときの捕集効率を向上させることについては考えられていない。
【０００６】
粒径が１０マイクロメートル以下の塵埃（以下細塵という）は、その質量の少なさから遠心力の作用を受けにくいので、塵埃をダストカップまで吸引して高速に旋回させて遠心力により塵埃を分離するサイクロン方式では集塵できないという問題がある。粒径が数ミクロン程度の塵埃は、塵埃の質量が軽いため空気流に分散された状態から遠心分離を行うことができないので、よく工夫された遠心分離を行っても、粒径が４マイクロメートル以下の細塵は捕集が困難である。
【０００７】
そこで、サイクロン方式の掃除機においては、さらに細塵を捕集するには、集塵装置の下流側にＨＥＰＡフィルター（High Efficiency Particulate Air Filter）等の別フィルターが設けられることがある。
【０００８】
一方、フィルター方式の電気掃除機においては、紙パックや布製の集塵フィルターの目を細かくして細塵を捕集することが可能であるが、フィルターの目を細かくすれば掃除機の風の吸引力が弱くなる。吸引力が弱くなることによって、大きいゴミを吸引することが困難になる。このような理由から、細塵を捕獲するためには集塵フィルターの下流側に、更に目の細かいフィルターを多重に設けるか、もしくは、ＨＥＰＡフィルター等の高価な別のフィルターを設ける必要がある。
【０００９】
しかし、集塵フィルターの下流側にさらにフィルターを設けて細塵を捕集する場合、捕集した細塵を破棄する等のメンテナンス回数が増加する。また、多重にフィルターを設けた場合にはメンテナンス箇所が増加する。そのため、使用性、すなわち、使用者にとっての使い易さが低いという問題がある。さらに、多重のフィルターを掃除機の通気路に設けると、フィルターの圧力損失によって電気掃除機の吸引力も低下するので、大きいごみや、質量の大きい塵埃を強力に吸引することが困難となる。
【００１０】
そこで、この発明の目的は、吸引力を低下させることなく、メンテナンスのしやすい、細塵の捕集効率を向上させることができる電気掃除機用吸込口体と電気掃除機を提供することである。
【課題を解決するための手段】
【００１１】
この発明に従った電気掃除機用吸込口体は、内壁面を有する本体と、塵埃を含む気体を本体内に吸入する吸込口と、被清掃対象物と本体の内壁面とに接触しないように本体内に配置される第一の帯電部材と第二の帯電部材とを備え、第一の帯電部材は、第一の帯電部材に接触する塵埃を正に帯電させる材質によって形成され、第二の帯電部材は、第二の帯電部材に接触する塵埃を負に帯電させる材質によって形成され、塵埃が気流によって吸込口を通過するとき、塵埃が第一の帯電部材もしくは第二の帯電部材と接触して異なる極性に帯電され、正もしくは負に帯電された塵埃に塵埃塊（クラスタ）を形成させる。
【００１２】
気体とともに吸込口体の本体の内部に吸引される塵埃は、本体の内部に配置されている第一の帯電部材と接触することによって正に帯電され、また、第二の帯電部材と接触することによって負に帯電される。このようにして正に帯電された塵埃と負に帯電された塵埃とは、電気掃除機の電動送風機が発生させる吸気によって搬送されながら、互いに近付き、静電気力によって相互に吸着して凝集し、塵埃塊（クラスタ）を形成する。このようにして形成される塵埃塊（クラスタ）には、さらに正または負に帯電した塵埃や、帯電していない塵埃が凝集して、塵埃塊（クラスタ）が成長する。
【００１３】
このように、塵埃塊（クラスタ）は、複数の塵埃が凝集して形成されたものであるから、個々の塵埃よりも体積と質量が大きい。そのため、例えば、遠心分離によって塵埃を捕集するサイクロン式の電気掃除機においては、遠心力の影響を受けないでサイクロン集塵手段に捕集されずに電気掃除機の外部に排出されてしまうような質量の小さな塵埃を減らして、集塵率を高めることができる。また、例えば、フィルター式の電気掃除機においては、フィルターの目を通り抜けてしまいフィルターによって捕集されずに電気掃除機の外部に排出されてしまうような体積の小さな塵埃を減らして、集塵率を高めることができる。このように、塵埃を凝集させて塵埃塊（クラスタ）を形成させることによって、質量や体積が小さくサイクロン集塵手段やフィルター等の集塵手段によって捕集されない塵埃を捕集するためにさらに別のフィルター等の集塵手段を備える必要がないので、圧力損失の低下を防ぎ、電気掃除機の吸引力（仕事率）の低下を防ぐことができる。
【００１４】
第一の帯電部材と第二の帯電部材とを吸込口体に配置することによって、例えば、電気掃除機の延長管や接続管、サクションホースなどの通風路に配置する場合と比較して、通風路のごみ詰まりを防ぐことができる。吸込口体には、電気掃除機の他の部分よりも第一の帯電部材と第二の帯電部材を配置しやすく、例えば、より多くの塵埃を帯電させるように第一の帯電部材と第二の帯電部材を配置することも可能である。
【００１５】
また、電気掃除機の吸込口体に第一の帯電部材と第二の帯電部材を配置することによって、電気掃除機の吸気の最も上流側において塵埃が帯電されるので、帯電された塵埃が吸気によって電気掃除機の内部を搬送されながら互いに近付いて凝集しやすく、塵埃塊（クラスタ）を効果的に形成しやすくなる。
【００１６】
さらにまた、第一の帯電部材と第二の帯電部材とが被清掃対象物と本体の内壁面に接触しないので、電気掃除機の吸引力を低下させることなく、塵埃を帯電させることができる。
【００１７】
このようにすることにより、吸引力を低下させることなく、メンテナンスのしやすい、細塵の捕集効率を向上させることができる電気掃除機用吸込口体を提供することができる。
【００１８】
この発明に従った電気掃除機用吸込口体においては、第一の帯電部材と第二の帯電部材は、それぞれ、複数のブラシ糸から構成されるブラシ束であることが好ましい。
【００１９】
このようにすることにより、微細な塵埃と、第一の帯電部材または第二の帯電部材との接触確率を増加させ、効果的に塵埃塊（クラスタ）を形成させることができる。
【００２０】
この発明に従った電気掃除機用吸込口体は、複数の第一の帯電部材と複数の第二の帯電部材とを備えることが好ましい。
【００２１】
このようにすることにより、塵埃が第一の帯電部材または第二の帯電部材と接触する機会が増大する。そのため、帯電する塵埃の数が増大し、また、帯電した塵埃の荷電量が増大する。したがって、塵埃どうしが静電気によって互いに凝集しやすくなり、塵埃塊（クラスタ）を効果的に形成させることができる。
【００２２】
この発明に従った電気掃除機用吸込口体においては、複数の第一の帯電部材と第二の帯電部材は、気流の流れる方向において、相対的に上流側に配置される第一の帯電部材と第二の帯電部材と、相対的に下流側に配置される第一の帯電部材と第二の帯電部材とを含むことが好ましい。
【００２３】
このようにすることにより、塵埃が第一の帯電部材または第二の帯電部材と接触する機会が増大する。そのため、帯電する塵埃の数が増大し、また、帯電した塵埃の荷電量が増大する。したがって、塵埃どうしが静電気によって互いに凝集しやすくなり、塵埃塊（クラスタ）を効果的に形成させることができる。
【００２４】
この発明に従った電気掃除機用吸込口体においては、複数の第一の帯電部材と第二の帯電部材は、第一の帯電部材同士が互いに隣り合わないように、かつ、第二の帯電部材同士が互いに隣り合わないように、気流の流れる方向に交差する方向に第一の帯電部材と第二の帯電部材とが交互に並べられて配置されていることが好ましい。
【００２５】
このようにすることにより、正に帯電した塵埃と負に帯電した塵埃とが接近しやすくなるので、塵埃の量が多い場合にも、塵埃どうしが静電凝集して塵埃塊（クラスタ）を形成しやすくなる。
【００２６】
この発明に従った電気掃除機用吸込口体は、第一の帯電部材と第二の帯電部材とを支持するための支持体を備え、第一の帯電部材と第二の帯電部材は、吸込口を通過する気流によって、支持体を中心に回動させられるように構成されていることが好ましい。
【００２７】
このようにすることにより、第一の帯電部材と第二の帯電部材とが気体の流れの妨げとなりにくく、電気掃除機の吸引力の低下を防ぐことができる。また、大きなごみが第一の帯電部材と第二の帯電部材にひっかかりにくくなるので、ゴミ詰まりが極めて生じにくくなる。
【００２８】
この発明に従った電気掃除機用吸込口体は、第一の帯電部材と第二の帯電部材とを支持するための支持体と、第一の帯電部材と第二の帯電部材を支持体を中心に回動させるための回動手段とを備えることが好ましい。
【００２９】
このようにすることにより、塵埃と、第一の帯電部材と第二の帯電部材とが接触する機会が増大する。また、塵埃と、第一の帯電部と第二の帯電部とが接触するときの相対速度を大きくすることができる。このようにして、塵埃の帯電量を大きくして効果的に塵埃塊（クラスタ）を形成させることができる。また、第一の帯電部材と第二の帯電部材の回動による気流が発生し、電気掃除機の吸込効率が向上する。
【００３０】
この発明に従った電気掃除機用吸込口体においては、第一の帯電部材と第二の帯電部材は、吸込口を通過する気流の方向に対して角度をなして延在していることが好ましい。
【００３１】
このようにすることにより、塵埃と、第一の帯電部材と第二の帯電部材とが接触する機会を増加させ、効果的に塵埃塊（クラスタ）を形成させることができる。
【００３２】
この発明に従った電気掃除機用吸込口体は、支持体に支持されて、吸込口に配置されて被清掃対象物に接触するための接触部材を備えることが好ましい。
【００３３】
このようにすることにより、接触部材によって被清掃対象物から塵埃を掻き揚げて吸込口体の本体の内部に吸引することができる。
【００３４】
この発明に従った電気掃除機用吸込口体においては、接触部材は、複数のブラシ糸から構成されるブラシ束であることが好ましい。
【００３５】
このようにすることにより、微細な塵埃と、接触部材との接触確率を増加させ、効果的に塵埃を掻き出すことができる。
【００３６】
この発明に従った電気掃除機用吸込口体においては、支持体は、導電性材料によって形成されていることが好ましい。
【００３７】
接触した塵埃を帯電させ続けることによって、第一の帯電部材と第二の帯電部材は、次第に塵埃を帯電させにくくなる。そこで、第一の帯電部材と第二の帯電部材を支持する支持体が導電性材料によって形成されることによって、塵埃を接触帯電させる電荷付与効果を保ち、継続的に塵埃を帯電させて、継続的に塵埃塊（クラスタ）を形成させることができる。
【００３８】
この発明に従った電気掃除機は、上記のいずれかの電気掃除機用吸込口体を備えることが好ましい。
【００３９】
このようにすることにより、吸引力を低下させることなく、メンテナンスのしやすい、細塵の捕集効率を向上させることができる電気掃除機を提供することができる。
【発明の効果】
【００４０】
以上のように、この発明によれば、吸引力を低下させることなく、メンテナンスのしやすい、細塵の捕集効率を向上させることができる電気掃除機用吸込口体と電気掃除機を提供することができる。
【発明を実施するための最良の形態】
【００４１】
以下、この発明の実施形態を図面に基づいて説明する。
【００４２】
（第１実施形態）
図１は、この発明の第１実施形態として、電気掃除機の全体を示す図である。図中の二点鎖線の矢印は、吸気の流れを示す。
【００４３】
図１に示すように、電気掃除機１においては、電気掃除機１の外部の気体とともに塵埃を吸引するための電気掃除機用吸込口体として吸込口体１００は、延長管１１、取手を有する接続管１２、折り曲げ自在のサクションホース１３と順次連結され、連結部１４を経由して本体部２０に接続されている。本体部２０の側面には、回転自在に設けられ、本体部２０を被清掃対象物として床面３０上において移動自在に支持する車輪２４が備えられている。本体部２０の内部には、吸気を発生させる電動送風機や、本体部２０内に吸引される塵埃を捕集するための集塵手段、フィルター等が配置されている。本体部２０に吸引された塵埃を含む気体は、集塵手段を通って、排気口２３から本体部２０の外部に排出される。吸込口体１００から電気掃除機１の本体部２０に吸引された塵埃は、集塵手段に集積され、塵埃が取り除かれて清浄化された気体は排気口２３から本体部２０の外部に排出される。
【００４４】
図２は、この発明の第１実施形態として、電気掃除機の吸込口体の全体の断面を示す側面断面図である。図中の二点鎖線の矢印は、吸気の流れを示す。図３は、図２に示す吸込口体を床面側から上方向に見たときの状態を示す図である。
【００４５】
図２と図３に示すように、吸込口体１００は、延長管１１に接続されている。吸込口体１００は、本体として筐体１０１と、筐体１０１の内部に配置される円柱状の外周面を有する支持体として支持部１０３と、支持部１０３に支持されるブラシ部２００とを備える。
【００４６】
筐体１０１は、支持部１０３の外周面と両側面を覆うほぼ直方体の形状を有する。円柱状に形成されている支持部１０３は、両端面において筐体１０１の内壁に保持されている。筐体１０１の床面３０と対向する面には、支持部１０３の中心軸に沿って開口された吸込口１０２が形成されている。また、筐体１０１の上部には、筐体１０１の内部と延長管１１の内部とを連通するための開口部が形成されている。
【００４７】
ブラシ部２００は、支持部１０３の外周面上に、支持部１０３の一方の側面から他方の側面までのほぼ全幅に亘って、支持部１０３の中心軸に沿って配置されている。ブラシ部２００は、塵埃を正に接触帯電させる材質によって形成されている正ブラシ部２１０と、塵埃を負に接触帯電させる材質によって形成されている負ブラシ部２２０とから構成されている。正ブラシ部２１０と負ブラシ部２２０は、それぞれ、支持部１０３の全幅の半分程度の幅を占めている。
【００４８】
筐体１０１は、延長管１１やサクションホース１２を介して、吸気を発生させる電動送風機を備える電気掃除機１の本体部２０に接続される。電気掃除機１の本体部２０の電動送風機が駆動して吸気が発生すると、吸込口体１００の外部の気体は、吸込口１０２から筐体１０１の内部に吸引され、筐体１０１の内部から延長管１１の内部に流出し、延長管１１、接続管１２、サクションホース１３などを経由して本体部２０に吸引される。使用者は、延長管１１に接続される接続管１２に取り付けられた把手を保持して動かすことによって、吸込口体１００を移動させることができる。
【００４９】
図４は、この発明の第１実施形態として、ブラシ部の配置を示す正面図である。
【００５０】
図４に示すように、正ブラシ部２１０と負ブラシ部２２０は、複数のブラシ束として、それぞれ、第一の帯電部材として正ブラシ束２１１と、第二の帯電部材として負ブラシ束２２１から構成されている。正ブラシ束２１１と負ブラシ束２２１は、複数のブラシ糸から構成されている。ブラシ糸は、支持部１０３に植毛されている。
【００５１】
ブラシ部２００は、支持部１０３からブラシ糸の先端が下方向に垂れ下がるようにして、ブラシ糸が筐体１０１の吸込口１０２から外部に出ないように支持されている。したがって、ブラシ部２００は、床面３０に接触しない。また、ブラシ部２００は、筐体１０１の内壁面にも接触しないように支持部１０３に保持されている。
【００５２】
正ブラシ部２１０と負ブラシ部２２０は、それぞれ、塵埃を正または負に帯電させることができる材質であって、繊維状に形成されやすい材質によって形成されている。例えば、正ブラシ部２１０はポリプロピレン、負ブラシ部２２０はポリアミド（ナイロン）等によって形成される。このようにすることにより、塵埃を帯電させやすく、ブラシ束を構成する繊維としてブラシ糸を形成しやすくなる。
【００５３】
電気掃除機１の本体部２０（図１）の内部に配置されている電動送風機が駆動されて吸気が発生すると、床面３０上の塵埃４０が吸気とともに、吸込口体１００の吸込口１０２から吸込口体１００の筐体１０１の内部に吸引される（図２）。
【００５４】
図５は、この発明の第１実施形態として、ブラシ部によって塵埃が帯電される様子を模式的に示す図である。
【００５５】
図５の（Ａ）に示すように、吸気とともに筐体１０１の内部に吸引される塵埃４０は、吸込口体１００の筐体１０１（図２）の内部において、正ブラシ部２１０（図４）の正ブラシ束２１１と接触することによって、正に帯電される。また、図５の（Ｂ）に示すように、塵埃４０は、負ブラシ部２２０（図４）の負ブラシ束２２１と接触することによって、負に帯電される。このように、気体とともに吸込口体１００の内部に吸引された塵埃４０は、正ブラシ束２１１または負ブラシ束２２１と接触することによって、正または負に帯電して、吸気によって筐体１０１（図２）の内部を下流へと流される。なお、塵埃４０は実際には図示されている大きさよりもはるかに小さいものであるが、説明の為に大きく示している。
【００５６】
図６は、この発明の第１実施形態として、吸込口体を床面側から上方向に見たときの状態を示す図である。
【００５７】
図６に示すように、正ブラシ部２１０の正ブラシ束２１１と接触することによって正に帯電した塵埃と、負ブラシ部２２０の負ブラシ束２２１と接触することによって負に帯電した塵埃は、吸気によって筐体１０１の内部を本体部２０（図１）に向かって流通しながら互いに近付き、静電気力によって引き合い、凝集して、塵埃塊（クラスタ）４１を形成する。塵埃塊４１は、複数の塵埃４０が凝集したものであるから、個々の塵埃４０よりも体積や質量が大きくなっている。
【００５８】
このように、吸込口体１００は、内壁面を有する筐体１０１と、塵埃４０を含む気体を筐体１０１内に吸入する吸込口１０２と、床面３０と筐体１０１の内壁面とに接触しないように筐体１０１内に配置される正ブラシ束２１１と負ブラシ束２２１とを備え、正ブラシ束２１１は、正ブラシ束２１１に接触する塵埃４０を正に帯電させる材質によって形成され、負ブラシ束２２１は、負ブラシ束２２１に接触する塵埃４０を負に帯電させる材質によって形成され、塵埃４０が気流によって吸込口１０２を通過するとき、塵埃４０が正ブラシ束２１１もしくは負ブラシ束２２１と接触して異なる極性に帯電され、正もしくは負に帯電された塵埃４０に塵埃塊（クラスタ）４１を形成させる。
【００５９】
気体とともに吸込口体１００の筐体１０１の内部に吸引される塵埃４０は、筐体１０１の内部に配置されている正ブラシ束２１１と接触することによって正に帯電され、また、負ブラシ束２２１と接触することによって負に帯電される。このようにして正に帯電された塵埃４０と負に帯電された塵埃４０とは、電気掃除機１の電動送風機が発生させる吸気によって搬送されながら、互いに近付き、静電気力によって相互に吸着して凝集し、塵埃塊（クラスタ）４１を形成する。このようにして形成される塵埃塊（クラスタ）４１にはさらに、正または負に帯電した塵埃４０や、帯電していない塵埃４０が凝集して、塵埃塊（クラスタ）４１が成長する。
【００６０】
このように、塵埃塊（クラスタ）４１は、複数の塵埃４０が凝集して形成されたものであるから、個々の塵埃４０よりも体積と質量が大きい。そのため、例えば、遠心分離によって塵埃４０を捕集するサイクロン式の電気掃除機１においては、遠心力の影響を受けないでサイクロン集塵手段に捕集されずに電気掃除機１の外部に排出されてしまうような質量の小さな塵埃４０を減らして、集塵率を高めることができる。また、例えば、フィルター式の電気掃除機１においては、フィルターの目を通り抜けてしまいフィルターによって捕集されずに電気掃除機１の外部に排出されてしまうような体積の小さな塵埃４０を減らして、集塵率を高めることができる。このように、塵埃４０を凝集させて塵埃塊（クラスタ）４１を形成させることによって、質量や体積が小さくサイクロン集塵手段やフィルター等の集塵手段によって捕集されない塵埃４０を捕集するためにさらに別のフィルター等の集塵手段を備える必要がないので、圧力損失の低下を防ぎ、電気掃除機１の吸塵力（仕事率）の低下を防ぐことができる。
【００６１】
正ブラシ束２１１と負ブラシ束２２１とを吸込口体１００に配置することによって、例えば、電気掃除機１の延長管１１や接続管１２、サクションホース１３などの通風路に配置する場合と比較して、通風路のごみ詰まりを防ぐことができる。吸込口体１００には、電気掃除機１の他の部分よりも正ブラシ束２１１と負ブラシ束２２１を配置しやすく、例えば、より多くの塵埃４０を帯電させるように正ブラシ束２１１と負ブラシ束２２１を配置することも可能である。
【００６２】
また、電気掃除機１の吸込口体１００に正ブラシ束２１１と負ブラシ束２２１を配置することによって、電気掃除機１の吸気の最も上流側において塵埃４０が帯電されるので、帯電された塵埃４０が吸気によって電気掃除機１の内部を搬送されながら互いに近付いて凝集しやすく、塵埃塊（クラスタ）４１を効果的に形成しやすくなる。
【００６３】
さらにまた、正ブラシ束２１１と負ブラシ束２２１とが床面３０と吸込口体１００の筐体１０１の内壁面に接触しないので、電気掃除機１の吸引力を低下させることなく、塵埃４０を帯電させることができる。
【００６４】
このようにすることにより、吸引力を低下させることなく、メンテナンスのしやすい、細塵の捕集効率を向上させることができる吸込口体１００と電気掃除機１を提供することができる。
【００６５】
また、吸込口体１００においては、正ブラシ束２１１と負ブラシ束２２１は、それぞれ、複数のブラシ糸から構成されるブラシ束である。
【００６６】
このようにすることにより、微細な塵埃と、正ブラシ束２１１または負ブラシ束２２１との接触確率を増加させ、効果的に塵埃塊（クラスタ）４１を形成させることができる。
【００６７】
また、吸込口体１００は、複数の正ブラシ束２１１と複数の負ブラシ束２２１とを備える。
【００６８】
このようにすることにより、塵埃４０が正ブラシ束２１１または負ブラシ束２２１と接触する機会が増大する。そのため、帯電する塵埃４０の数が増大し、また、帯電した塵埃４０の荷電量が増大する。したがって、塵埃４０どうしが静電気によって互いに凝集しやすくなり、塵埃塊（クラスタ）４１を効果的に形成させることができる。
【００６９】
なお、従来の電気掃除機の吸込口体には、ゴミを掻き出すためのブラシが備えられているものがある。このようなブラシ部の材料と吸込口体の筐体の材料が、たまたま塵埃を正または負に接触帯電させる帯電部材である場合も考えられる。しかしながら、このような場合には、ブラシと筐体という帯電部材の配置が、塵埃を含む気体の流れに対して対称的ではない。そのため、ブラシまたは筐体に接触して正または負に帯電した粒子同士が、気流によって互いに近付く確率は低く、塵埃塊（クラスタ）を高効率に形成させることができない。このように、従来の電気掃除機の吸込口体の構成は、塵埃を積極的に凝集成長させようとする概念を有しない。一方、本発明は、塵埃を帯電させ、帯電した塵埃どうしの間に働く静電気によって塵埃の塊（クラスタ）を形成させて、細塵の捕集性能を向上させるという概念に基づいた構成を有するものである。
【００７０】
また、従来、床面のゴミを掻き出すためのブラシが備えられている電気掃除機の吸込口体には、静電気の影響で床面に吸着していた塵埃を電気的に中和して除去する目的で、ブラシ材料を清掃する床面等に接触帯電させる構成のものがある。しかし本発明には、ブラシ材料自体を積極的に帯電させる概念は無いので、床面等と摩擦接触させる必要はない。本発明は、ブラシ材料との接触により塵埃を正負同等量帯電させ、静電気により塵埃の塊（クラスタ）を形成し、細塵の捕集性能を向上させるという概念に基づいた構成を有するものである。
【００７１】
（第２実施形態）
図７は、この発明の第２実施形態として、電気掃除機の吸込口体の全体の断面を示す側面断面図である。図中の二点鎖線の矢印は、吸気の流れを示す。図の左側が吸込口体１００の正面側である。
【００７２】
図７に示すように、第２実施形態の吸込口体１００が第１実施形態の吸込口体１００と異なる点としては、ブラシ部２００は、第一ブラシ部２００ａと第二ブラシ部２００ｂとから構成されている。第一ブラシ部２００ａは、支持部１０３の正面側に配置され、第二ブラシ部２００ｂは、支持部１０３の背面側に配置されている。
【００７３】
図８は、この発明の第２実施形態として、ブラシ束の配置を示す正面図である。
【００７４】
図８に示すように、第一ブラシ部２００ａにおいては、第一正ブラシ部２１０ａと第一負ブラシ部２２０ａは、第１実施形態の正ブラシ部２１０と負ブラシ部２２０のように、それぞれのブラシ部が支持部１０３の全幅の半分程度の幅を占めるようにして並べて配置されている。また、第二ブラシ部２００ｂにおいては、第二正ブラシ部２１０ｂと第二負ブラシ部２２０ｂは、第１実施形態の正ブラシ部２１０と負ブラシ部２２０のように、それぞれのブラシ部が支持部１０３の全幅の半分程度の幅を占めるようにして並べて配置されている。第一正ブラシ部２１０ａと第一負ブラシ部２２０ａは、支持部１０３の正面側に配置され、第二正ブラシ部２１０ｂと第二負ブラシ部２２０ｂは、支持部１０３の背面側に配置されている。第一正ブラシ部２１０ａと第二正ブラシ部２１０ｂには、複数の正ブラシ束２１１が含まれる。また、第一負ブラシ部２２０ａと第二負ブラシ部２２０ｂには、複数の負ブラシ束２２１が含まれる。正ブラシ束２１１と負ブラシ束２２１は、どちらも床面３０に接触していない。
【００７５】
吸込口体１００の正面側から見ると、第一正ブラシ部２１０ａを構成する複数の正ブラシ束２１１と正ブラシ束２１１の間に、第二正ブラシ部２１０ｂを構成する正ブラシ束２１１が見えるように、第一正ブラシ部２１０ａと第二正ブラシ部２１０ｂが配置されている。また、第一負ブラシ部２２０ａを構成する複数の負ブラシ束２２１と負ブラシ束２２１の間に、第二負ブラシ部２２０ｂを構成する負ブラシ束２２１が見えるように、第一負ブラシ部２２０ａと第二負ブラシ部２２０ｂが配置されている。
【００７６】
図９は、この発明の第２実施形態として、ブラシ部によって塵埃が帯電される様子を模式的に示す図である。図の左側が吸込口体の正面側である。
【００７７】
図９の（Ａ）に示すように、吸気とともに筐体１０１の内部に吸引される塵埃４０は、吸込口体１００の筐体１０１（図７）の内部において、第一正ブラシ部２１０ａまたは第二正ブラシ部２１０ｂと接触することによって、正に帯電される。また、図９の（Ｂ）に示すように、塵埃４０は、第一負ブラシ部２２０ａまたは第二負ブラシ部２２０ｂと接触することによって、負に帯電される。このように、塵埃４０は、正または負に帯電して、吸気によって、筐体１０１（図７）の内部を下流へと流される。なお、塵埃４０は、実際には図示されている大きさよりもはるかに小さいものであるが、説明の為に大きく示している。
【００７８】
図１０は、この発明の第２実施形態として、吸込口体を床面側から上方向に見たときの図である。
【００７９】
図１０に示すように、吸込口体１００の筐体１０１内に吸引される塵埃４０の一部は、第一正ブラシ部２１０ａまたは第一負ブラシ部２２０ａに接触して正または負に帯電する。第一正ブラシ部２１０ａと第一負ブラシ部２２０ａのいずれにも接触しなかった塵埃４０の一部は、第一正ブラシ部２１０ａと第一負ブラシ部２２０ａの下流側に配置されている第二正ブラシ部２１０ｂまたは第二負ブラシ部２２０ｂに接触して、正または負に帯電する。また、第一正ブラシ部２１０ａと接触して正に帯電している塵埃４０が、第一正ブラシ部２１０ａの下流側に配置されている第二正ブラシ部２１０ｂに接触することによって、さらに高い正電荷を得ることができる。第一負ブラシ部２２０ａに接触して負に帯電した塵埃４０も同様に、第二負ブラシ部２２０ｂに接触することによって、より高い負電荷を得ることができる。
【００８０】
第一正ブラシ部２１０ａおよび／または第二正ブラシ部２１０ｂと接触することによって正に帯電した塵埃４０と、第一負ブラシ部２２０ａおよび／または第二負ブラシ部２２０ｂと接触することによって負に帯電した塵埃４０は、吸気によって筐体１０１の内部を本体部２０（図１）に向かって流通しながら互いに近付き、静電気力によって引き合い、凝集して、塵埃塊（クラスタ）４１を形成する。塵埃塊４１は、複数の塵埃４０が凝集したものであるから、個々の塵埃４０よりも体積や質量が大きくなっている。
【００８１】
このように、第２実施形態の吸込口体１００においては、複数の正ブラシ束２１１と負ブラシ束２２１は、気流の流れる方向において、相対的に上流側に配置される第一正ブラシ部２１０ａの正ブラシ束２１１と第一負ブラシ部２２０ａの負ブラシ束２２１と、相対的に下流側に配置される第二正ブラシ部２１０ｂの正ブラシ束２１１と第二負ブラシ部２２０ｂの負ブラシ束２２１とを含む。
【００８２】
このようにすることにより、塵埃４０が第一正ブラシ部２１０ａ、第二正ブラシ部２１０ｂ、または、第一負ブラシ部２２０ａ、第二負ブラシ部２２０ｂと接触する機会が増大する。そのため、帯電する塵埃４０の数が増大し、また、帯電した塵埃４０の荷電量が増大する。したがって、塵埃４０どうしが静電気によって互いに凝集しやすくなり、塵埃塊（クラスタ）４１を効果的に形成させることができる。
【００８３】
第２実施形態の吸込口体１００と、第２実施形態の吸込口体１００を備える電気掃除機１のその他の構成と効果は、第１実施形態と同様である。
【００８４】
（第３実施形態）
図１１は、この発明の第３実施形態として、ブラシ束の配置を示す正面図である。
【００８５】
図１１に示すように、第３実施形態の吸込口体１００が第１実施形態の吸込口体１００と異なる点としては、ブラシ部２００は、支持部１０３の両側面を結ぶ軸に沿って、第一の帯電部材として正ブラシ束２１１と第二の帯電部材として負ブラシ束２２１が交互に並べられて構成されている。塵埃４０は、正ブラシ束２１１に接触して正に帯電させられ、負ブラシ束２２１に接触して負に帯電させられる。
【００８６】
図１２は、この発明の第３実施形態として、吸込口体を床面側から上方向に見た図である。
【００８７】
図１２に示すように、吸込口体１００の内部に吸引された塵埃４０の一部は、ブラシ部２００に交差するように流れる吸気によって吸込口体１００の内部を下流側に流されながら、ブラシ部２００に接触する。ブラシ部２００においては、どの正ブラシ束２１１と負ブラシ束２２１も、互いに近い位置に配置されているので、正ブラシ束２１１に接触して正に帯電した塵埃４０と、負ブラシ束２２１に接触して負に帯電した塵埃４０とが近付きやすく、塵埃塊（クラスタ）４１を形成しやすい。また、正に帯電した塵埃４０ばかりが集まる領域や、負に帯電した塵埃４０ばかりが集まる領域が形成されにくいので、帯電した塵埃４０が静電気力によって凝集しやすい。
【００８８】
このように、第３実施形態の吸込口体１００においては、複数の正ブラシ束２１１と複数の負ブラシ束２２１は、正ブラシ束２１１同士が互いに隣り合わないように、かつ、負ブラシ束２２１同士が互いに隣り合わないように、気流の流れる方向に交差する方向に正ブラシ束２１１と負ブラシ束２２１とが交互に並べられて配置されている。
【００８９】
このようにすることにより、正に帯電した塵埃４０と負に帯電した塵埃４０とが接近しやすくなるので、塵埃４０の量が多い場合にも、塵埃４０どうしが静電凝集して塵埃塊（クラスタ）４１を形成しやすくなる。
【００９０】
第３実施形態の吸込口体１００と、第３実施形態の吸込口体１００を備える電気掃除機１のその他の構成と効果は、第１実施形態と同様である。
【００９１】
（第４実施形態）
図１３は、この発明の第４実施形態として、電気掃除機の吸込口体の全体の断面を示す側面断面図である。図中の二点鎖線の矢印は、吸気の流れを示す。図の左側が吸込口体１００の正面側である。
【００９２】
図１３に示すように、第４実施形態の吸込口体１００が第１実施形態の吸込口体１００と異なる点としては、ブラシ部は、第一ブラシ部２００ａと第二ブラシ部２００ｂと第三ブラシ部２００ｃと第四ブラシ部２００ｄとから形成されている。第一ブラシ部２００ａは、第一正ブラシ部２１０ａと第一負ブラシ部２２０ａを含む。第二ブラシ部２００ｂは、第二正ブラシ部２１０ｂと第二負ブラシ部２２０ｂを含む。第三ブラシ部２００ｃは、第三正ブラシ部２１０ｃと第三負ブラシ部２２０ｃを含む。第四ブラシ部２００ｄは、第四正ブラシ部２１０ｄと第四負ブラシ部２２０ｄを含む。それぞれのブラシ部（２００ａ、２００ｂ、２００ｃ、２００ｄ）においては、正ブラシ部（２１０ａ、２１０ｂ、２１０ｃ、２１０ｄ）と負ブラシ部（２２０ａ、２２０ｂ、２２０ｃ、２２０ｄ）は、第１実施形態のブラシ部２００の正ブラシ部２１０と負ブラシ部２２０と同様に配置されている。
【００９３】
また、第４実施形態の吸込口体１００が第１実施形態の吸込口体１００と異なる他の点としては、円柱状の支持部１０３は、支持部１０３の両側面を結ぶ回転軸１０３ａを中心に回動することができるように構成されている。
【００９４】
第一ブラシ部２００ａ、第二ブラシ部２００ｂ、第三ブラシ部２００ｃ、第四ブラシ部２００ｄは、支持部１０３の外周面の周方向に、互いに９０°づつ間隔を開けて配置されている。
【００９５】
図１４は、この発明の第４実施形態として、吸込口体を床面側から上方向に見た図である。
【００９６】
図１４に示すように、ブラシ部（２００ａ、２００ｂ、２００ｃ、２００ｄ）のそれぞれは、第１実施形態と同様に、支持部１０３の外周面上に、支持部１０３の一方の側面から他方の側面までのほぼ全幅に亘って、支持部１０３の中心軸に沿って配置されている。ブラシ部（２００ａ、２００ｂ、２００ｃ、２００ｄ）は、塵埃を正に接触帯電させる材質によって形成されている正ブラシ部（２１０ａ、２１０ｂ、２１０ｃ、２１０ｄ）と、塵埃を負に接触帯電させる材質によって形成されている負ブラシ部（２２０ａ、２２０ｂ、２２０ｃ、２２０ｄ）とから構成されている。正ブラシ部（２１０ａ、２１０ｂ、２１０ｃ、２１０ｄ）と負ブラシ部（２２０ａ、２２０ｂ、２２０ｃ、２２０ｄ）は、それぞれ、支持部１０３の全幅の半分程度の幅を占めている。
【００９７】
図１３と図１４に示すように、電気掃除機１の本体部２０（図１）の内部に配置されている電動送風機が駆動されて吸気が発生すると、床面３０上の塵埃が吸気とともに、吸込口体１００の吸込口１０２から吸込口体１００の筐体１０１の内部に吸引される。ブラシ部（２００ａ、２００ｂ、２００ｃ、２００ｄ）に吸気が当たることによって、支持部１０３は、ブラシ部２００とともに、回転軸１０３ａを中心に回動する。
【００９８】
図１５は、この発明の第４実施形態として、ブラシ部の配置を示す正面図である。
【００９９】
図１５に示すように、第４実施形態においては第１実施形態と同様に、正ブラシ部（２１０ａ、２１０ｂ、２１０ｃ、２１０ｄ）と負ブラシ部（２２０ａ、２２０ｂ、２２０ｃ、２２０ｄ）は、複数のブラシ束として、それぞれ、第一の帯電部材として正ブラシ束２１１と、第二の帯電部材として負ブラシ束２２１から構成されている。正ブラシ束２１１と負ブラシ束２２１は、複数のブラシ糸から構成されている。ブラシ糸は、支持部１０３に植毛されている。ブラシ糸は、一方の端部が支持部１０３に植毛され、他方の端部が支持部１０３から放射状に延びている。
【０１００】
ブラシ部（２００ａ、２００ｂ、２００ｃ、２００ｄ）は、支持部１０３からブラシ糸の先端が下方向に垂れ下がるようにして、ブラシ糸が筐体１０１の吸込口１０２から外部に出ないように支持されている。したがって、ブラシ部（２００ａ、２００ｂ、２００ｃ、２００ｄ）は、床面３０に接触しない。また、ブラシ部（２００ａ、２００ｂ、２００ｃ、２００ｄ）は、筐体１０１の内壁面にも接触しないように支持部１０３に保持されている。
【０１０１】
図１６は、この発明の第４実施形態として、ブラシ部によって塵埃が帯電される様子を模式的に示す図である。図の左側が吸込口体の正面側である。
【０１０２】
図１６の（Ａ）に示すように、第４実施形態の吸込口体１００を備える電気掃除機１（図１）の電動送風機が駆動して吸気が発生すると、吸込口体１００の吸込口１０２（図１３）から筐体１０１の内部に流入する気体によって、ブラシ部２００が支持部１０３を中心にして、例えば、図中に破線で示す矢印の方向に回動する。ブラシ部は、図中の破線で示す矢印と反対の方向に回転することもできる。
【０１０３】
吸気とともに筐体１０１の内部に吸引される塵埃４０は、吸込口体１００の筐体１０１（図１３、１４）の内部において、正ブラシ部（２１０ａ、２１０ｂ、２１０ｃ、２１０ｄ）と接触することによって、正に帯電される。また、図１６の（Ｂ）に示すように、塵埃４０は、負ブラシ部（２２０ａ、２２０ｂ、２２０ｃ、２２０ｄ）と接触することによって、負に帯電される。このように、気体とともに吸込口体１００の内部に吸引された塵埃４０は、正ブラシ部（２１０ａ、２１０ｂ、２１０ｃ、２１０ｄ）の正ブラシ束２１１（図１５）または負ブラシ部（２２０ａ、２２０ｂ、２２０ｃ、２２０ｄ）の負ブラシ束２２１と接触することによって、正または負に帯電して、吸気によって筐体１０１の内部を下流へと流される。なお、塵埃４０は実際には図示されている大きさよりもはるかに小さいものであるが、説明の為に大きく示している。
【０１０４】
このように、吸込口体１００は、正ブラシ束２１１と負ブラシ束２２１とを支持するための支持部１０３を備え、正ブラシ束２１１と負ブラシ束２２１は、吸込口１０２を通過する気流によって、支持部１０３を中心に回動させられるように構成されている。
【０１０５】
このようにすることにより、正ブラシ束２１１と負ブラシ束２２１とが気体の流れの妨げとなりにくく、電気掃除機１の吸引力の低下を防ぐことができる。また、大きなごみが正ブラシ束２１１と負ブラシ束２２１にひっかかりにくくなるので、ゴミ詰まりが極めて生じにくくなる。
【０１０６】
図１７は、この発明の第４実施形態の別の例として、吸込口体の全体の側断面を示す断面図である。
【０１０７】
図１７に示すように、吸込口体１００は、筐体１０１の内部において、ブラシ部２００の上流側に位置する吸込口１０２において、床面３０に接触するように、床面摩擦ブラシ１０４が配置されていてもよい。床面摩擦ブラシ１０４は、複数のブラシ束から構成されており、それぞれのブラシ束を構成するブラシ糸は、筐体１０１内において支持部１０３とほぼ平行に配置されている円柱状の床面摩擦ブラシの支持部１０５に植毛されている。床面摩擦ブラシ１０４のブラシ束は、床面摩擦ブラシの支持部１０５の外周面の周方向に、９０°づつ間隔を開けて４列配置されている。ブラシ束のそれぞれの列は、支持部１０５のほぼ全幅に亘って配置されている。吸気が吸込口体１００の筐体１０１内に吸引されると、床面摩擦ブラシ１０４は、吸込口１０２から筐体１０１内に吸引される気体が当たることによって、支持部１０５の両側面を結ぶ回転軸１０５ａを中心に回動させられる。
【０１０８】
床面摩擦ブラシ１０４は、吸気によって回転軸１０５ａを中心に回動させられることによって、４列に配置されている床面摩擦ブラシ１０４が次々に床面３０に接触する。このようにして、絨毯などの毛に付着している塵埃を絨毯の表面に掻き出したり、床面３０に付着している塵埃を掻き上げたりして、塵埃が気体とともに吸込口体１００に吸引されやすくすることができる。また、床面摩擦ブラシ１０４は、吸気によって回転させられるので、気体の流れの妨げとなりにくく、電気掃除機１の吸引力を低下させにくい。また、床面摩擦ブラシ１０４が回転するので、大きなごみがひっかかりにくく、ゴミ詰まりが極めて生じにくい。
【０１０９】
このように、床面摩擦ブラシ１０４を併設することによって、床面３０の塵埃を効果的に吸引しつつ、さらに塵埃同士を静電凝集させて集塵能力を高めることができる。
【０１１０】
第４実施形態の吸込口体１００と、第４実施形態の吸込口体１００を備える電気掃除機１のその他の構成と効果は、第１実施形態と同様である。
【０１１１】
（第５実施形態）
図１８は、この発明の第５実施形態として、電気掃除機の吸込口体の全体の側断面を示す断面図である。図１９は、この発明の第５実施形態として、電気掃除機の吸込口体を床面から上方向に見たときの状態を示す図である。図１９においては、モータとベルトの配置部分は透視図として示している。
【０１１２】
図１８と図１９に示すように、第５実施形態の吸込口体１００が第４実施形態の吸込口体１００と異なる点としては、吸込口体１００は、回動手段としてモータ１０６とベルト１０７とを備える。ベルト１０７は、支持部１０３をモータ１０６と連結している。ブラシ部２００の第一〜第四正ブラシ部（２１０ａ、２１０ｂ、２１０ｃ、２１０ｄ）の正ブラシ束２１１（図１５）と第一〜第四負ブラシ部（２２０ａ、２２０ｂ、２２０ｃ、２２０ｄ）の負ブラシ束２２１（図１５）の配置は、図１５に示す第４実施形態のブラシ部と同様の配置となっている。
【０１１３】
モータ１０６を駆動させることによって、ブラシ部２００は支持部１０３の回転軸１０３ａを中心に、図１８に破線の矢印で示す方向に高速回転させられる。ブラシ部２００が高速回転することによって、吸気とともに吸込口体１００の筐体１０１内に吸引される塵埃と正ブラシ部（２１０ａ、２１０ｂ、２１０ｃ、２１０ｄ）または負ブラシ部（２２０ａ、２２０ｂ、２２０ｃ、２２０ｄ）が次々に塵埃と接触する。塵埃は、正ブラシ部（２１０ａ、２１０ｂ、２１０ｃ、２１０ｄ）または負ブラシ部（２２０ａ、２２０ｂ、２２０ｃ、２２０ｄ）と接触することによって、正または負に帯電させられ、正に帯電した塵埃と負に帯電した塵埃とは静電気力によって互いに引き合って近付き、凝集して塵埃塊（クラスタ）となる。また、ブラシ部２００の高速回転によって、ブラシ部２００の周りに気流が発生し、塵埃塊（クラスタ）は電気掃除機１（図１）の内部を流れる気流の下流側に流されやすくなる。
【０１１４】
このように、吸込口体１００は、正ブラシ束２１１と負ブラシ束２２１とを支持するための支持部１０３と、正ブラシ束２１１と負ブラシ束２２１を支持部１０３を中心に回動させるためのモータ１０６とベルト１０７とを備えることが好ましい。
【０１１５】
このようにすることにより、塵埃と、正ブラシ束２１１と負ブラシ束２２１とが接触する機会が増大する。また、塵埃と、正ブラシ束２１１と負ブラシ束２２１とが接触するときの相対速度を大きくすることができる。このようにして、塵埃の帯電量を大きくして効果的に塵埃塊（クラスタ）を形成させることができる。また、正ブラシ束２１１と負ブラシ束２２１の回動による気流が発生し、電気掃除機１の吸込効率が向上する。
【０１１６】
第５実施形態の吸込口体１００と、第５実施形態の吸込口体１００を備える電気掃除機１のその他の構成と効果は、第４実施形態と同様である。
【０１１７】
（第６実施形態）
図２０は、この発明の第６実施形態として、ブラシ部の配置を示す正面図である。
【０１１８】
図２０に示すように、第６実施形態の吸込口体のブラシ部２００は、第４実施形態のブラシ部２００と同様に、支持部１０３の外周面の周方向において９０°づつ間隔を開けて配置されて４列に配置されているが、第４実施形態のブラシ部２００と異なる点としては、ブラシ部２００のそれぞれの列においては、正ブラシ束２１１と負ブラシ束２２１は、支持部１０３の一方の端部から他方の端部までの間に１８０°ねじれるように、らせん状に配置されている。
【０１１９】
このように、ブラシ部２００がらせん状に配置されることによって、ブラシ部２００付近の気流に乱れが生じる。気流の乱れによって、気体とともに吸込口体１００の内部を流通する塵埃４０の移動行程にランダム性が加味されるので、塵埃４０が正ブラシ部２１０の正ブラシ束２１１または負ブラシ部２２０の負ブラシ束２２１と接触しやすくなる。
【０１２０】
このように、吸込口体１００においては、正ブラシ束２１１と負ブラシ束２２１は、吸込口１０２を通過する気流の方向に対して角度をなして延在している。
【０１２１】
このようにすることにより、塵埃４０と、正ブラシ束２１１と負ブラシ束２２１とが接触する機会を増加させ、効果的に塵埃塊（クラスタ）４１を形成させることができる。
【０１２２】
第６実施形態の吸込口体１００と、第６実施形態の吸込口体１００を備える電気掃除機１のその他の構成と効果は、第４実施形態と同様である。
【０１２３】
（第７実施形態）
この発明の第７実施形態の吸込口体においては、ブラシ部は、第４実施形態または第５実施形態のブラシ部と同様に、図１３〜図１９に示すように、支持部の外周面の周方向に、９０°づつ間隔を開けて配置されている。
【０１２４】
図２１は、この発明の第７実施形態として、ブラシ部の配置を模式的に示す側面図である。図の左側が吸込口体の正面側とする。
【０１２５】
図２１に示すように、第７実施形態の吸込口体が第４実施形態の吸込口体と異なる点としては、第７実施形態の吸込口体は、床面３０に接触するように支持部１０３に配置されている接触部材として接触ブラシ部を備える。接触ブラシ部は、第一接触ブラシ部２３０ａ、第二接触ブラシ部２３０ｂ、第三接触ブラシ部２３０ｃ、第四接触ブラシ部２３０ｄを含む。ブラシ部（２００ａ、２００ｂ、２００ｃ、２００ｄ）は、それぞれ、支持部１０３の外周面の周方向に沿って９０°づつ間隔を開けて配置されている。また、接触ブラシ部（２３０ａ、２３０ｂ、２３０ｃ、２３０ｄ）は、それぞれ、支持部１０３の外周面の周方向に沿って９０°づつ間隔を開けて配置されている。ブラシ部（２００ａ、２００ｂ、２００ｃ、２００ｄ）と接触ブラシ部（２３０ａ、２３０ｂ、２３０ｃ、２３０ｄ）は、支持部１０３の外周面の周方向において、ブラシ部（２００ａ、２００ｂ、２００ｃ、２００ｄ）どうしが隣り合わないように、また、接触ブラシ部（２３０ａ、２３０ｂ、２３０ｃ、２３０ｄ）どうしが隣り合わないように、第一ブラシ部２００ａ、第一接触ブラシ部２３０ａ、第二ブラシ部２００ｂ、第二接触ブラシ部２３０ｂ、第三ブラシ部２００ｃ、第三接触ブラシ部２３０ｃ、第四ブラシ部２００ｄ、第四接触ブラシ部２３０ｄ、という順番に並べられて配置されている。隣り合うブラシ部（２００ａ、２００ｂ、２００ｃ、２００ｄ）と接触ブラシ部（２３０ａ、２３０ｂ、２３０ｃ、２３０ｄ）の間隔が４５°になるように配置されている。
【０１２６】
ブラシ部（２００ａ、２００ｂ、２００ｃ、２００ｄ）と接触ブラシ部（２３０ａ、２３０ｂ、２３０ｃ、２３０ｄ）は、吸気が当たることによって、支持部１０３とともに、支持部１０３の両側面を結ぶ回転軸を中心にして図中に破線で示す矢印の向きに回転することができる。
【０１２７】
それぞれの接触ブラシ部（２３０ａ、２３０ｂ、２３０ｃ、２３０ｄ）は、複数のブラシ束から構成されている。接触ブラシ部（２３０ａ、２３０ｂ、２３０ｃ、２３０ｄ）を構成するブラシ束は、複数のブラシ糸から構成され、ブラシ糸は、円柱状の支持部１０３の両側面を結ぶ軸に沿って、支持部１０３のほぼ全幅に亘って植毛されている。それぞれのブラシ糸は、一方の端部が支持部１０３に植毛され、他方の端部が支持部１０３から放射状に延びている。接触ブラシ部（２３０ａ、２３０ｂ、２３０ｃ、２３０ｄ）のブラシ糸の長さは、正ブラシ部（２１０ａ、２１０ｂ、２１０ｃ、２１０ｄ）と負ブラシ部（２２０ａ、２２０ｂ、２２０ｃ、２２０ｄ）のブラシ糸よりも長い糸であり、ブラシ部（２００ａ、２００ｂ、２００ｃ、２００ｄ）と接触ブラシ部（２３０ａ、２３０ｂ、２３０ｃ、２３０ｄ）が回転して、接触ブラシ部（２３０ａ、２３０ｂ、２３０ｃ、２３０ｄ）が支持部１０３の下側に位置すると、接触ブラシ部（２３０ａ、２３０ｂ、２３０ｃ、２３０ｄ）のブラシ糸が床面３０に接触する。床面３０に接触した接触ブラシ部（２３０ａ、２３０ｂ、２３０ｃ、２３０ｄ）は、床面３０の塵埃を掻き上げて、塵埃が吸気によって吸込口体１００（図１）の内部に取り込まれやすくすることができる。図中に点線で示す円は、ブラシ部（２００ａ、２００ｂ、２００ｃ、２００ｄ）が吸気によって支持部１０３の回転軸を中心にして回動した場合に、ブラシ部（２００ａ、２００ｂ、２００ｃ、２００ｄ）の先端が描く軌跡を示す。
【０１２８】
ブラシ糸は、床面３０から塵埃を掻き上げるために配置されているので、塵埃を接触帯電させる材質によって構成される必要はない。接触部材は、ブラシ束の他、柔軟な樹脂材料や、ゴムで形成された板状のものであってもよい。
【０１２９】
このように、吸込口体１００は、支持部１０３に支持されて、吸込口１０２に配置されて床面３０に接触するための接触ブラシ部（２３０ａ、２３０ｂ、２３０ｃ、２３０ｄ）を備えることが好ましい。
【０１３０】
このようにすることにより、接触ブラシ部（２３０ａ、２３０ｂ、２３０ｃ、２３０ｄ）によって床面３０から塵埃を掻き揚げて吸込口体１００の筐体１０１の内部に吸引することができる。
【０１３１】
また、吸込口体１００においては、接触ブラシ部（２３０ａ、２３０ｂ、２３０ｃ、２３０ｄ）は、複数のブラシ糸から構成されるブラシ束である。
【０１３２】
このようにすることにより、微細な塵埃４０と、接触ブラシ部（２３０ａ、２３０ｂ、２３０ｃ、２３０ｄ）との接触確率を増加させ、効果的に塵埃を掻き出すことができる。
【０１３３】
また、図１７に示す第４実施形態の別の例のように、ブラシ部２００と床面摩擦ブラシ１０４（図１７）とを別に備えず、簡単な構造で、第４実施形態の別の例と同様の効果を得ることができる。
【０１３４】
第７実施形態の吸込口体１００と、第７実施形態の吸込口体１００を備える電気掃除機１のその他の構成と効果は、第４実施形態と同様である。
【０１３５】
（第８実施形態）
この発明の第８実施形態の吸込口体においては、ブラシ部は、図１１と図１２に示す第３実施形態と同様に配置されている。
【０１３６】
図２２は、この発明の第８実施形態として、ブラシ部の配置を示す正面図である。
【０１３７】
図２２に示すように、第８実施形態の吸込口体が第３実施形態の吸込口体と異なる点としては、支持部１０３が導電性の材料によって形成されている。塵埃と接触して塵埃を正に帯電させる正ブラシ束２１１には、塵埃と接触して塵埃を正に帯電させる度に負の電荷が蓄積される。また、塵埃と接触して塵埃を負に帯電させる負ブラシ束２２１には、塵埃と接触して塵埃を負に帯電させる度に正の電荷が蓄積される。したがって、正ブラシ束２１１と負ブラシ束２２１は、塵埃との接触を重ねることによって、塵埃を帯電させにくくなる。そこで、正ブラシ束２１１と負ブラシ束２２１が植毛されている支持部１０３を導電性材料によって形成することによって、正ブラシ束２１１と負ブラシ束２２１は、塵埃との接触によって得た電荷を支持部１０３に放電することができる。正ブラシ束２１１から放電された負電荷と、負ブラシ束２２１から放電された正電荷は、互いに逆極性であるから、支持部１０３においてこれらの電荷は互いにキャンセルし合う。従って、支持部１０３にはほとんど電荷が蓄積されない。
【０１３８】
このように、吸込口体１００においては、支持部１０３は、導電性材料によって形成されている。
【０１３９】
接触した塵埃４０を帯電させ続けることによって、正ブラシ束２１１と負ブラシ束２２１は、次第に塵埃４０を帯電させにくくなる。そこで、正ブラシ束２１１と負ブラシ束２２１を支持する支持部１０３が導電性材料によって形成されることによって、塵埃４０を接触帯電させる電荷付与効果を保ち、継続的に塵埃４０を帯電させて、継続的に塵埃塊（クラスタ）４１を形成させることができる。
【０１４０】
第８実施形態の吸込口体１００と、第８実施形態の吸込口体１００を備える電気掃除機１のその他の構成と効果は、第１実施形態と同様である。
【０１４１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【０１４２】
【図１】この発明の第１実施形態として、電気掃除機の全体を示す図である。
【図２】この発明の第１実施形態として、電気掃除機の吸込口体の全体の断面を示す側面断面図である。
【図３】図２に示す吸込口体を床面側から上方向に見たときの状態を示す図である。
【図４】この発明の第１実施形態として、ブラシ部の配置を示す正面図である。
【図５】この発明の第１実施形態として、ブラシ部によって塵埃が帯電される様子を模式的に示す図である。
【図６】この発明の第１実施形態として、吸込口体を床面側から上方向に見たときの状態を示す図である。
【図７】この発明の第２実施形態として、電気掃除機の吸込口体の全体の断面を示す側面断面図である。
【図８】この発明の第２実施形態として、ブラシ束の配置を示す正面図である。
【図９】この発明の第２実施形態として、ブラシ部によって塵埃が帯電される様子を模式的に示す図である。
【図１０】この発明の第２実施形態として、吸込口体を床面側から上方向に見たときの図である。
【図１１】この発明の第３実施形態として、ブラシ束の配置を示す正面図である。
【図１２】この発明の第３実施形態として、吸込口体を床面側から上方向に見た図である。
【図１３】この発明の第４実施形態として、電気掃除機の吸込口体の全体の断面を示す側面断面図である。
【図１４】この発明の第４実施形態として、吸込口体を床面側から上方向に見た図である。
【図１５】この発明の第４実施形態として、ブラシ部の配置を示す正面図である。
【図１６】この発明の第４実施形態として、ブラシ部によって塵埃が帯電される様子を模式的に示す図である。
【図１７】この発明の第４実施形態の別の例として、吸込口体の全体の側断面を示す断面図である。
【図１８】この発明の第５実施形態として、電気掃除機の吸込口体の全体の側断面を示す断面図である。
【図１９】この発明の第５実施形態として、電気掃除機の吸込口体を床面から上方向に見たときの状態を示す図である。
【図２０】この発明の第６実施形態として、ブラシ部の配置を示す正面図である。
【図２１】この発明の第７実施形態として、ブラシ部の配置を模式的に示す側面図である。
【図２２】この発明の第８実施形態として、ブラシ部の配置を示す正面図である。
【符号の説明】
【０１４３】
１：電気掃除機、３０：床面、１００：吸込口体、１０１：筐体、１０２：吸込口、１３：支持部、１０６：モータ、１０７：ベルト、２１１：正ブラシ束、２２１：負ブラシ束、２３０：接触ブラシ。
【図１】
2009011550.tif 000003
【図２】
2009011550.tif 000004
【図３】
2009011550.tif 000005
【図４】
2009011550.tif 000006
【図５】
2009011550.tif 000007
【図６】
2009011550.tif 000008
【図７】
2009011550.tif 000009
【図８】
2009011550.tif 000010
【図９】
2009011550.tif 000011
【図１０】
2009011550.tif 000012
【図１１】
2009011550.tif 000013
【図１２】
2009011550.tif 000014
【図１３】
2009011550.tif 000015
【図１４】
2009011550.tif 000016
【図１５】
2009011550.tif 000017
【図１６】
2009011550.tif 000018
【図１７】
2009011550.tif 000019
【図１８】
2009011550.tif 000020
【図１９】
2009011550.tif 000021
【図２０】
2009011550.tif 000022
【図２１】
2009011550.tif 000023
【図２２】
2009011550.tif 000024